(57)【要約】【課題】既存の構造体の溝条を利用して、そこにピンを突き刺すことができる材質のピンナップ部材を嵌合するだけで、簡単に形成することができるようにした、構造が簡単で、かつ安価に製造できるピンナップ装置を提供する。【解決手段】間仕切パネルＡ等の構造体の表面に設けた溝条６に、ピン１１を突き刺すことができる材質のピンナップ部材１２を、前面が溝条６の開口部６ａより露呈するようにして嵌合する。【選択図】  図１
2009108627.tif 000002
【特許請求の範囲】
【請求項１】
構造体の表面に設けた溝条に、ピンを突き刺すことができる材質からなるピンナップ部材を、その前面が前記溝条の開口部より露呈するようにして嵌合したことを特徴とするピンナップ装置。
【請求項２】
ピンナップ部材を、弾性体よりなるものとした請求項１記載のピンナップ装置。
【請求項３】
ピンナップ部材を、合成樹脂材料の発泡体よりなるものとした請求項１または２記載のピンナップ装置。
【請求項４】
ピンナップ部材を、コルクよりなるものとした請求項１または２記載のピンナップ装置。
【請求項５】
溝条を、開口部の幅より奥部の幅が大きいあり溝とし、ピンナップ部材の奥部の幅を、溝条の開口部の幅より大とした請求項１〜４のいずれかに記載のピンナップ装置。
【請求項６】
ピンナップ部材における溝条の開口部側に位置する部分の、溝条に嵌合する前の幅を、溝条の開口部の幅より大としておき、ピンナップ部材を溝条に嵌合したとき、前記部分が溝条の開口部により圧縮されるようにした請求項１〜５のいずれかに記載のピンナップ装置。
【請求項７】
溝条の開口部より露呈するピンナップ部材の表面を、構造体の表面と同一面とした請求項１〜６のいずれかに記載のピンナップ装置。
【請求項８】
ピンナップ部材における長手方向と直交する断面形状を、溝条における長手方向と直交する断面形状と補形をなすものとした請求項１〜７のいずれかに記載のピンナップ装置。
【請求項９】
ピンナップ部材の裏面側に、ピンの貫通を防止する貫通防止部材を設けた請求項１〜８のいずれかに記載のピンナップ装置。
【請求項１０】
ピンナップ部材の裏面側に、ピンナップ部材より若干硬質で、かつそれよりピン保持力の強い保持部材を設けた請求項１〜９のいずれかに記載のピンナップ装置。
【請求項１１】
構造体を間仕切パネルとし、溝条を、前記間仕切パネルの表面に水平に設けた請求項１〜１０のいずれかに記載のピンナップ装置。
【請求項１２】
構造体を、机上に設けたデスクトップパネルとし、溝条を、前記デスクトップパネルの表面に水平に設けた請求項１〜１０のいずれかに記載のピンナップ装置。
【請求項１３】
構造体をポールとし、溝条を、前記ポールの外周面に設けた上下方向または水平方向を向くように設けた請求項１〜１０のいずれかに記載のピンナップ装置。
【発明の詳細な説明】
【技術分野】
【０００１】
本発明は、構造体の表面に、メモ用紙やカード等を、画鋲その他のピンをもって止着しうるようにしたピンナップ装置に関する。
【背景技術】
【０００２】
従来のこの種のピンナップ装置としては、机上に設けた目隠し用のデスクトップパネルの表面や、間仕切パネルの表面等に、ピンを突き刺し可能な材質の板材を取り付け、さらにその表面を、布等の張材をもって覆ったものがある(例えば特許文献１および２参照)。
【特許文献１】特開２０００−１９２５８０号公報
【特許文献２】特開平０８−０９５５１１号公報
【発明の開示】
【発明が解決しようとする課題】
【０００３】
しかし、上記のような従来のピンナップ装置においては、ピンナップを目的として、デスクトップパネルや間仕切パネル等の構造体全体またはその一部を、それ専用のものとして当初から設計しなければならず、構造が複雑化するとともに、製造コストが高くつく。
【０００４】
本発明は、従来の技術が有する上記のような問題点に鑑み、既存の構造体の溝条に、ピンを突き刺すことができる材質のピンナップ部材を嵌合するだけで、簡単に形成することができるようにした、構造が簡単で、かつ安価に製造できるピンナップ装置を提供することを目的としている。
【課題を解決するための手段】
【０００５】
本発明によると、上記課題は次のようにして解決される。
(１)構造体の表面に設けた溝条に、ピンを突き刺すことができる材質からなるピンナップ部材を、その前面が前記溝条の開口部より露呈するようにして嵌合する。
【０００６】
(２)  上記(１)項において、ピンナップ部材を、弾性体よりなるものとする。
【０００７】
(３)  上記(１)または(２)項において、ピンナップ部材を、合成樹脂材料の発泡体よりなるものとする。
【０００８】
(４)  上記(１)または(２)項において、ピンナップ部材を、コルクよりなるものとする。
【０００９】
(５)  上記(１)〜(４)項のいずれかにおいて、溝条を、開口部の幅より奥部の幅が大きいあり溝とし、ピンナップ部材の奥部の幅を、溝条の開口部の幅より大とする。
【００１０】
(６)  上記(１)〜(５)項のいずれかにおいて、ピンナップ部材における溝条の開口部側に位置する部分の、溝条に嵌合する前の幅を、溝条の開口部の幅より大としておき、ピンナップ部材を溝条に嵌合したとき、前記部分が溝条の開口部により圧縮されるようにする。
【００１１】
(７)  上記(１)〜(６)項のいずれかにおいて、溝条の開口部より露呈するピンナップ部材の表面を、構造体の表面と同一面とする。
【００１２】
(８)  上記(１)〜(７)項のいずれかにおいて、ピンナップ部材における長手方向と直交する断面形状を、溝条における長手方向と直交する断面形状と補形をなすものとする。
【００１３】
(９)  上記(１)〜(８)項のいずれかにおいて、ピンナップ部材の裏面側に、ピンの貫通を防止する貫通防止部材を設ける。
【００１４】
(１０)  上記(１)〜(９)項のいずれかにおいて、ピンナップ部材の裏面側に、ピンナップ部材より若干硬質で、かつそれよりピン保持力の強い保持部材を設ける。
【００１５】
(１１)  上記(１)〜(１０)項のいずれかにおいて、構造体を間仕切パネルとし、溝条を、前記間仕切パネルの表面に水平に設ける。
【００１６】
(１２)  上記(１)〜(１０)項のいずれかにおいて、構造体を、机上に設けたデスクトップパネルとし、溝条を、前記デスクトップパネルの表面に水平に設ける。
【００１７】
(１３)  上記(１)〜(１０)項のいずれかにおいて、構造体をポールとし、溝条を、前記ポールの外周面に設けた上下方向または水平方向を向くように設ける。
【発明の効果】
【００１８】
請求項１記載の発明によると、既存の構造体の溝条を利用して、そこにピンナップ部材を嵌合するだけで、簡単にピンナップ装置を形成することができるとともに、構造を簡素化することができ、また安価に製造することができる。
さらに、溝条からピンナップ部材を取り外すことにより、溝条を他の目的に使用することができる。
【００１９】
請求項２記載の発明によると、ピンナップ部材を、弾性体により形成してあるので、突き刺したピンを確実に保持できるだけでなく、ピンナップ部材自体を圧縮させて溝条内に嵌合することにより、ピンナップ部材が溝条から脱落するのを防止することができるとともに、ピンの保持力をさらに高めることができる。
【００２０】
請求項３記載の発明によると、ピンナップ部材を、合成樹脂材料の発泡体により形成してあるので、ピンを突き刺しやすく、また軽量化を図ることができる。
【００２１】
請求項４記載の発明によると、ピンナップ部材を、コルクにより形成してあるので、ピンを突き刺しやすく、軽量化や質感の向上を図ることができる。
【００２２】
請求項５記載の発明によると、溝条をあり溝とし、ピンナップ部材の奥部の幅を、溝条の開口部の幅より大としてあるので、ピンナップ部材が溝条から抜け難くなる。
【００２３】
請求項６記載の発明によると、ピンナップ部材における溝条の開口部側に位置する部分の、溝条に嵌合する前の幅を、溝条の開口部の幅より大としておき、ピンナップ部材を溝条に嵌合したとき、前記部分が溝条の開口部により圧縮されるようにしてあるので、ピンナップ部材が溝条から抜け落ち難くなるとともに、突き刺したピンの保持力を高めることができる。
【００２４】
請求項７記載の発明によると、溝条の開口部より露呈するピンナップ部材の表面を、構造体の表面と同一面としてあるので、メモ用紙やカード等を、凹みや折れ曲がり等が生じることなく、平面のままの状態で、構造体の表面に沿って美麗に止着することができるとともに、ピンナップ部材が溝条からはみ出ることがないので体裁がよく、また不用意に触れても、ピンナップ部材が溝条から脱落することもない。
【００２５】
請求項８記載の発明によると、ピンナップ部材における長手方向と直交する断面形状を、溝条における長手方向と直交する断面形状と補形をなすものとしてあるので、ピンナップ部材が溝条から脱落したり、がたついたりするおそれがない。
【００２６】
請求項９記載の発明によると、ピンナップ部材の裏面に、貫通防止部材を設けてあるので、ピンをピンナップ部材に強く突き刺しても、ピンの先端で構造体の奥部を傷つけることがない。
【００２７】
請求項１０記載の発明によると、ピンをピンナップ部材に突き刺したときのピンの先端部が、保持部材により強力に保持されるので、ピンの脱落を効果的に防止することができる。
【００２８】
請求項１１記載の発明によると、構造体を間仕切パネルとし、溝条を、前記間仕切パネルの表面に水平に設けてあるので、この溝条の任意の位置にピンナップ部材を嵌合して、間仕切パネルにおける必要な部位のみにピンナップ装置を形成することができるとともに、この溝条を利用して、棚板、テーブル、他の間仕切パネル等を連結することができる。
【００２９】
請求項１２記載の発明によると、構造体を、机上に設けたデスクトップパネルとし、溝条を、前記デスクトップパネルの表面に水平に設けてあるので、この溝条の任意の位置にピンナップ部材を嵌合して、デスクトップパネルにおける必要な部位のみにピンナップ装置を形成することができるとともに、この溝条を利用して、棚板や小物入れ等を係止したり、取り付けたりすることができる。
【００３０】
請求項１３記載の発明によると、構造体をポールとし、溝条を、前記ポールの外周面に設けた上下方向または水平方向を向くように設けてあるので、ポールの表面にもメモ用紙等を止着することができるとともに、ポールの表面に他部材の取り付けや模様等として形成した溝条を利用して、ピンナップ装置を簡単に形成することができる。
【発明を実施するための最良の形態】
【００３１】
以下、本発明の実施形態を、図面に基づいて説明する。
図１および図２は、構造体を間仕切装置における間仕切パネルとした、本発明の第１の実施形態を示す。
この間仕切装置は、左右方向を向く間仕切パネルＡの前面に、前後方向を向く間仕切パネルＢを、平面視Ｔ字状に連結したもので、間仕切パネルＡは、左右１対または３個以上の支柱１(左方のもののみを図示)の上端部同士、中間部同士、および下端部同士を、左右方向を向く上部連結杆２、中間部連結杆３、および下部連結杆４をもって互いに連結してなるフレーム５を備えている。
【００３２】
フレーム５における上部連結杆２、中間部連結杆３、および下部連結杆４の前後両面には、開口部６ａの幅より奥部６ｂの幅が大きいあり溝とした水平の溝条６を有する左右方向を向くレール７が、フレーム５の全幅に亘って、一体的に形成されている。
【００３３】
フレーム５の前後面における上段のレール７と中段のレール７との間、および中段のレール７と下段のレール７との間には、パネル８、８が、その背面の四隅に設けた係止部材(図示略)を、支柱１の前後面に設けた係止孔９に嵌合して係止することにより、それぞれ装着されている。
【００３４】
前後方向を向く間仕切パネルＢは、左右方向を向く間仕切パネルＡと同様のフレーム(図示略)の両面に設けた、溝条６を有する上、中、下の３段のレール７と、上下に隣り合うレール７，７において、フレームに装着した上下２枚のパネル８、８を備えている。
【００３５】
前後方向を向く間仕切パネルＢは、左右方向を向く間仕切パネルＡの前面に対して、平面視Ｔ字状をなすようにして突き合わせ、そのときのコーナー部分に配設した平面視直角三角形の連結材１０と、同一高さの各レール７、７の溝条６、６に嵌合した板ナット(図示略)とを、ボルト(図示略)をもって連結することにより、間仕切パネルＡに強固に結合されている。
【００３６】
これらの間仕切パネルＡ、Ｂの結合構造の詳細については、特開２００６−１３８１７９号公報に、また間仕切パネルＡと同一構造の間仕切パネルの片面に、机を結合する構造については、特開２００６−１３８１７９号公報にそれぞれ記載されている。
【００３７】
本発明の第１の実施形態においては、前記間仕切パネルＡの表面における上段(または中段)のレール７の溝条６に、画鋲等のピン１１を突き刺すことができる材質からなるピンナップ部材１２を、その前面が溝条６の開口部より露呈するようにして嵌合することにより、ピンナップ装置１３が形成されている。
【００３８】
ピンナップ部材１２は、合成樹脂材料の発泡体からなる弾性体からなっている。しかし、ピンナップ部材１２は、コルクや、ゴム、またはその他のピン１１を突き刺すことができるものであれば、どのような材質のものでもよい。
【００３９】
また、図２に想像線で示すように、溝条６に嵌合する前のピンナップ部材１２の上下寸法Ｔ１を、溝条６の奥部６ｂの幅、すなわち上下寸法Ｔ２とほぼ同一とし、前後寸法Ｔ３を、溝条６の奥行き寸法Ｔ４と同一として、ピンナップ部材１２を溝条６に嵌合したとき、ピンナップ部材１２の前部が、溝条６の開口部６ａにより圧縮されるようにするのが好ましい。
こうすることによって、ピンナップ部材１２の奥部の幅(この例では上下幅)が、溝条６の開口部６ａの幅より大となり、ピンナップ部材１２が溝条６から抜け落ち難くなるとともに、ピンナップ部材１２の前部が圧縮されることにより、突き刺したピン１１の保持力を高めることができる。
【００４０】
ピンナップ部材１２の前後寸法Ｔ３を、溝条６の奥行き寸法Ｔ４と同一としたことにより、ピンナップ部材１２を溝条６に嵌合したとき、溝条６の開口部６ａより露呈するピンナップ部材１２の表面が、レール７およびパネル８の表面と同一面となる。
これによって、メモ用紙(またはカード等)１４を、凹みや折れ曲がり等が生じることなく、平面のままの状態で、レール７およびパネル８の表面に沿って美麗に止着することができるとともに、ピンナップ部材１２が溝条６からはみ出ることがないので体裁がよく、また不用意に触れても、溝条６から脱落することもなくなる。
【００４１】
図３は、本発明の第２の実施形態を示すもので、この例では、ピンナップ部材１２における溝条６に嵌合する前の長手方向と直交する断面形状を、溝条６における長手方向と直交する凸形の断面形状とほぼ補形をなすものとしてある。
【００４２】
このような構成とすると、ピンナップ部材１２が溝条６から脱落したり、がたついたりするおそれがなく、しかも、ピンナップ部材１２を、溝条６の前面からだけでなく、溝条６の側端からも容易に挿入することができる。
【００４３】
図４は、本発明の第３の実施形態を示すもので、この例では、ピンナップ部材１２における溝条６に嵌合する前の長手方向と直交する断面形状を、後部が広い台形をなすように形成してある。
【００４４】
このような構成とすると、第１の実施形態における効果と第２の実施形態における効果との中間的な効果を奏することができる。
【００４５】
図５は、本発明の第４の実施形態を示すもので、この例では、ピンナップ部材１２の裏面側に、ピン１１の貫通を防止する鉄板等の貫通防止部材１５を設けてある。
【００４６】
このような構成とすると、ピン１１をピンナップ部材１２に強く突き刺しても、ピン１１の先端で構造体であるレール７の奥部を傷つけることがない。
【００４７】
図６は、本発明の第５の実施形態を示すもので、この例では、ピンナップ部材１２の裏面側に、ピンナップ部材１２より若干硬質か、または密度が高く、かつピンナップ部材１２よりピン保持力の強い保持部材１６を設けてある。
なお、この保持部材１６の後面に、図５に示す貫通防止部材１５を設けてもよい。
【００４８】
このような構成とすると、ピン１１をピンナップ部材１２に突き刺したときのピン１１の先端部が、保持部材１６により強力に保持されるので、ピン１１の脱落を効果的に防止することができる。
【００４９】
図７は、本発明の第６の実施形態を示すもので、この例では、机１７の後部上面に立設した左右１対の支柱１８をもって、左右方向を向く垂直板状のデスクトップパネル１９を支持し、このデスクトップパネル１９の前面に、第１の実施形態における溝条６と同様のあり溝とした左右方向を向く複数の溝条２０を、上下多段状に設け、その所望の溝条２０における左右方向の所望の部分に、第１の実施形態(第２〜第５のいずれの実施形態としてもよい)におけるのと同様のピンナップ部材１２を、第１の実施形態におけるのと同様にして嵌合してある。
【００５０】
このような構成とすると、所望の溝条２０の所望の位置にピンナップ部材１２を嵌合して、デスクトップパネル１９における必要な部位のみにピンナップ装置１３を形成することができるとともに、この溝条２０を利用して、棚板や小物入れ等(図示略)を係止したり、取り付けたりすることができる。
【００５１】
また、メモ用紙１４等を、デスクトップパネル１９の前面に押し当てて、その前方から、画鋲等のピン１１を、メモ用紙１４等を通して、ピンナップ部材１２に突き刺すことにより、メモ用紙１４等を、凹みや折れ曲がり等が生じることなく、平面のままの状態で、デスクトップパネル１９の前面に沿って美麗に止着することができる。
【００５２】
図８および図９は、本発明の第７の実施形態を示すもので、この例では、床面に立設した円柱状の柱、掲示用の支柱、円柱テーブルの中央に立設したポール等(以下これらを総称してポールという)２１の外周面に、溝条６と同様のあり溝とした上下方向を向く４条の溝条２２を、円周方向に等間隔となるように設け、所望の溝条２２の所望の部分に、第１〜第５のいずれかの実施形態におけるのと同様のピンナップ部材１２を、圧縮させた状態で嵌合し、その表面に、ピン１１を突き刺すことにより、必要に応じて、メモ用紙１４等を止着することができるようにしてある。
【００５３】
また、ポール２１の外周面に、図９に示すように、縦断面形状を方形とした円周方向を向く溝条２３を、溝条２２と直交するように設けてある。
この溝条２３には、嵌合前の断面形状を方形、または図４に想像線で示すような台形等としたスポンジ状のピンナップ部材１２を、溝条２３の内面に接着剤または両面接着テープをもって接着させて嵌合し、その表面に、ピン１１を突き刺すことにより、必要に応じて、メモ用紙１４等を止着することができるようにしてある。
【００５４】
したがって、第７の実施形態においても、第１〜第５の実施形態におけるのと同様の効果を奏することができる。
【００５５】
本発明は、以上の実施形態のみに限定されるものではなく、特許請求の範囲を逸脱しない範囲で、幾多の変化した態様での実施が可能である。
【図面の簡単な説明】
【００５６】
【図１】本発明の第１の実施形態を備える間仕切装置の外観斜視図である。
【図２】図１のII-II線に沿う拡大縦断側面図である。
【図３】本発明の第２の実施形態の要部の縦断側面図である。
【図４】本発明の第３の実施形態の要部の縦断側面図である。
【図５】本発明の第４の実施形態の要部の縦断側面図である。
【図６】本発明の第５の実施形態の要部の縦断側面図である。
【図７】本発明の第６の実施形態を備えるデスクトップパネルの斜視図である。
【図８】本発明の第７の実施形態を備えるポールの一部の斜視図である。
【図９】図８のIX-IX線に沿う拡大縦断側面図である。
【符号の説明】
【００５７】
Ａ、Ｂ  間仕切パネル
１  支柱
２  上部連結杆
３  中間部連結杆
４  下部連結杆
５  フレーム
６  溝条
６ａ開口部
６ｂ奥部
７  レール
８  パネル
９  係止孔
１０  連結材
１１  ピン
１２  ピンナップ部材
１３  ピンナップ装置
１４  メモ用紙
１５  貫通防止部材
１６  保持部材
１７  机
１８  支柱
１９  デスクトップパネル
２０  溝条
２１  ポール
２２、２３  溝条
【図１】
2009108627.tif 000003
【図２】
2009108627.tif 000004
【図３】
2009108627.tif 000005
【図４】
2009108627.tif 000006
【図５】
2009108627.tif 000007
【図６】
2009108627.tif 000008
【図７】
2009108627.tif 000009
【図８】
2009108627.tif 000010
【図９】
2009108627.tif 000011